(57)【特許請求の範囲】
【請求項１】
器体の略重心を通る線上の位置に連結穴を設け、この連結穴に連結穴の軸線を回転軸として回転する連結部材を回転自在に挿通し、連結部材の一端に一体に設けた係止フックを連結穴の段部に係脱自在に係止すると共に連結部材の他端に一体に設けたコード結合部に落下防止コードの端部を結合して成ることを特徴とする器体の落下防止構造。
【発明の詳細な説明】
【０００１】
【発明の属する技術分野】
本発明は、器体に落下防止コードを接続して落下防止コードにて器体の落下を防止する構造に関し、詳しくは落下防止コードの一端を回転自在に連結する部分の構造に関するものである。
【０００２】
【従来の技術】
一般的に器体の落下を防止する構造としては、線状の落下防止コードの一端を器体に連結し、落下防止コードの他端部を身体の一部（手首、腰）等に取り付けることで器体を誤って落下させたとき、完全に下まで落下しないようにする方法がよく用いられている。ところが、落下防止コードが線状の単なるコードの場合、通常の作業に落下防止コードが絡まったり、長過ぎて邪魔になったりして通常作業に支障をきたす場合が多い。
【０００３】
そこで、その落下防止コードを伸縮自在［例えば、スパイラル形状（バネ状で伸縮可能）］にすることで、通常作業での支障を最小限にできるようにし、かつ器体が落下したときでも完全落下を防ぐことができるようにしたものもある。しかし、落下防止コードがスパイラル状になっている場合、落下防止コードの少なくとも一方の端部を回転自在に取り付けなければ、器体が落下したときにスパイラル状の落下防止コードが絡まってしまうという問題を有している。
【０００４】
そこで、従来よりスパイラル状の落下防止コードを使用する場合は、落下防止コードの少なくとも一方の端部を回転管で回転自在にし、その回転管に器体に取り付けるためのフックを連結し、器体と落下防止コードを接続する方法が多く用いられていた。しかし、この場合、回転管とフックの２部品を使用しなければならず、コスト面、組み立て性及び外観の点から好ましくないという問題があった。
【０００５】
【発明が解決しようとする課題】
本発明は叙述の点に鑑みてなされたものであって、器体が落下してスパイラル状の落下防止コードが伸縮したときでも絡まるのを防ぐことができ、また落下防止コードの端部の器体への取り付けや取り外しが容易にでき、さらに部品点数を少なくしてコストダウンを図ることができる器体の落下防止構造を提供するにある。
【０００６】
【課題を解決するための手段】
上記課題を解決するために本発明の器体の落下防止構造は、器体１の略重心を通る線上の位置に連結穴２を設け、この連結穴２に連結穴２の軸線を回転軸として回転する連結部材３を回転自在に挿通し、連結部材３の一端に一体に設けた係止フック４を連結穴２の段部２ａに係脱自在に係止すると共に連結部材３の他端に一体に設けたコード結合部５に落下防止コード６の端部を結合して成ることを特徴とする。このように構成したことにより、連結穴２の軸線を回転軸として連結部材３が回転するために、落下防止コード６がスパイラル状の場合、器体が落下してスパイラル状の落下防止コード６が伸縮したときにでも落下防止コード６が絡まるのを防止できる。また連結部材３のコード結合部５に落下防止コード６を結合した状態で、連結部材３を器体１の連結穴２に挿通して係止フック４を段部２ａに係止して連結できて落下防止コード６の取り付けや取り外しが容易にできる。また１部品の連結部材３で回転自在に連結でき、従来に比べて部品点数を少なくできてコストダウンにつながる。
【０００７】
【発明の実施の形態】
まず、図１乃至図４に示す実施の形態の例から述べる。本例の場合、器体１は角形箱状の箱体１ａである。この箱体１ａには箱体１ａの略重心を通る線上の位置で丸穴状の連結穴２を貫通するように設けてある。連結部材３の本体部は両側の側片７と側片７の上端間に一体に架設したコード結合部５で断面門形になっており、両側の側片７の下端から外方に突出するように係止フック４を一体に突設してあり、側片７の上端から外方に突出するように係止縁８を突設してある。この連結部材３は、箱体１ａの連結穴２に両側の側片７が挿通され、係止フック４が箱体１ａの内面側で連結穴２の穴縁である段部２ａに係止され、係止縁８が箱体１ａの外面側で連結穴２の穴縁に係止されて連結穴２に対して回転自在になるように取り付けられる。このとき側片７の外面は連結穴２の内面に沿う形状になっており、連結穴２の軸線を中心に連結部材３が自由に回転するように取り付けられる。落下防止コード６はスパイラル状であり、落下防止コード６の一端に設けたリング状の被結合部９を連結部材３のコード結合部５に被挿して落下防止コード６の一端を連結部材３に連結してある。
【０００８】
器体１としての箱体１ａと落下防止コード６の一端との連結を行うには次のように行う。落下防止コード６の一端にリング状の被結合部９を形成しておいた状態で、連結部材３のコード結合部５を被結合部９に挿通して落下防止コード６の一端に連結部材３を結合し、この状態で連結部材３を箱体１ａの連結穴２に挿通し、連結穴２の穴縁に係止フック４及び係止縁８を係止する。このように落下防止コード６を連結部材３にて連結できることにより落下防止コード６の箱体１ａへの取り付けが容易にでき、また確実に取り付けることができる。また上記にように落下防止コード６を取り付けた状態で連結部材３が連結穴２の軸線を回転軸として回転するためにスパイラル状の落下防止コード６が伸縮したときでも絡まることがない。
【０００９】
また器体１としての箱体１ａの完全落下を防止するためには落下防止コード６の箱体１ａと反対である他端部が次のように支持される。図２の例では落下防止コード６の他端にゴムバンドのような手首巻き付け部１０を設けてあり、手首巻き付け部材１０を身体の手首１１に巻き付けることで、器体１としての箱体１ａが落下しても下まで落下することなく、完全落下を防ぐことができる。図３の例では落下防止コード６の他端にゴムバンドのような腰巻き付け部１２を設けてあり、腰巻き付け部１２を身体の腰部１３に巻き付けることで上記のように器体１としての箱体１ａの落下を防止できるようになっている。図４の例では落下防止コード６の他端に支持物巻き付け部１４を設けてあり、支柱のような支持物１５に支持物巻き付け部１４を巻き付けることで、器体１としての箱体１ａの完全落下を防止できるようになっている。
【００１０】
図５は他の例を示すものである。この例も上記例と基本的に同じであり、器体１が板状の板体１ｂである点だけが異なる。板体１ｂには板体１ｂの略重心位置で丸穴状の連結穴２を貫通するように設けてある。落下防止コード６の一端にリング状の被結合部９を形成しておいた状態で、連結部材３のコード結合部５を被結合部９に挿通して落下防止コード６の一端に連結部材３が結合され、この状態で連結部材３が板体１ｂの連結穴２に挿通され、連結穴２の穴縁に係止フック４及び係止縁８が係止される。このように落下防止コード６を連結部材３にて連結できることにより落下防止コード６の板体１ｂへの取り付けが容易にでき、また確実に取り付けることができる。また上記にように落下防止コード６を取り付けた状態で連結部材３が連結穴２の軸線を回転軸として回転するためにスパイラル状の落下防止コード６が伸縮したときでも絡まることがない。
【００１１】
図６、図７は他の例を示すものである。この例の上記例と基本的に同じであり、器体１が網戸清掃装置１ｃである点だけが異なる。この網戸清掃装置１ｃは一次側となる第一清掃部材２２と二次側となる第二清掃部材２３とで構成されている。第一清掃部材２２は網戸２４の網２４ａの屋内側の面に沿って移動させて洗浄するものであり、第二清掃部材２３は第一清掃部材２２に追従して網戸２４の網２４ａの屋外側の面に沿って移動して洗浄するものである。第一清掃部材２は筺体２５、プレート２６、カバー２７、磁石２８、洗浄部２９等で形成されている。筺体２５は前面を開口せる略矩形の箱状に形成されており、筺体２５の背部には手で持つことができる把持部３０が設けられている。筺体２５の前面の開口にはこの開口を覆うようにプレート２６が被着されている。このプレート２６には凹所３１を凹設してあり、凹所３１には磁石２８を収納して取り付けてある。本例の場合、ヨーク板３２を介して磁石２８を取り付けてあり、磁石２８とヨーク板３２とで第一清掃部材２２側の磁着部を形成してある。このプレート２６の前面側には磁着部を覆うカバー２７を長手方向に亙って被着してある。プレート２６の長手方向と直交する方向である幅方向の両側にはプレート２６と上記カバー２７とで形成される凹段部３３が長手方向に亙るように設けられており、凹段部３３に収めるように洗浄部２９を長手方向に亙るように装着してある。この洗浄部２９はフェルトやスポンジ等で形成されている。カバー２７の磁石２８に対応する部分の前面側には前面側に突出する突面部３４を設けてある。第二清掃部材２３はプレート３５、カバー３６、磁石、洗浄部２９等で形成されている。プレート３５の前面側には凹所４０が長手方向に凹設してあり、この凹所１９には上記第一清掃部材２２の磁石２８と対応するように磁石を収納して取り付けてある。この第２清掃部材２３でも磁石とヨーク板で磁着部を形成してある。このプレート３５の前面側には磁着部を覆うカバー３６を長手方向に亙って被着してある。プレート３５の長手方向と直交する方向である幅方向の両側にはプレート３５とカバー３６とで形成される凹段部３３が長手方向に亙るように設けられており、凹段部３３に収めるようにフェルトやスポンジ等の洗浄部２９を長手方向に亙って装着してある。カバー３６の磁石と対応する部分の前面側には前面側に突出する突面部３４を設けてある。
【００１２】
上記のように第一清掃部材２２と第二清掃部材２３とで構成される網戸清掃装置１ｃにて網戸２４を清掃するにあたっては次のように行う。第一清掃部材２２及び第二清掃部材２３を水のような洗浄水に浸し、次いで建て付けた状態の網戸２４の網２４ａの屋内側に第一清掃部材２２を配置すると共に網２４ａの屋外側の面に第二清掃部材２３を配置し、第一清掃部材２２及び第二清掃部材２３の洗浄部２９を網２４ａの両面に当接して磁力にて第一清掃部材２２と第二清掃部材２３とを磁着し、第一清掃部材２２の把持部３０を手で持って第一清掃部材２２を移動させて清掃を行う。第一清掃部材２２を移動させて清掃を行うとき、第一清掃部材２２に第二清掃部材２３が磁着しているので、第一清掃部材２２の移動に追従して第二清掃部材２３が移動し、第一清掃部材２２及び第二清掃部材２３の洗浄部２９で網２４ａの両面の洗浄ができる。
【００１３】
上記のように構成せる網戸清掃装置１ｃの第二清掃部材２３のプレート３５には略重心の位置で丸穴状の連結穴２を貫通するように設けてある。落下防止コード６の一端にリング状の被結合部９を形成しておいた状態で、連結部材３のコード結合部５を被結合部９に挿通して落下防止コード６の一端に連結部材３が結合され、この状態で連結部材３が連結穴２に挿通され、連結穴２の穴縁に係止フック４及び係止縁８が係止される。このように落下防止コード６を連結部材３にて連結できることにより落下防止コード６の第二清掃部材２３への取り付けが容易にでき、また確実に取り付けることができる。また第二清掃部材２３の前面側から係止フック４を挟み込むだけで係止フック４の係止を外すことができて容易に落下防止コード６を取り外すことができる。これにより、万が一落下防止コード６が切断されたときでも容易に取り替えが可能である。また上記にように落下防止コード６を取り付けた状態で連結部材３が連結穴２の軸線を回転軸として回転するためにスパイラル状の落下防止コード６が伸縮したときでも絡まることがない。また落下防止コード６の他端側は手首や第一清掃部材２２に接続して使用するようになっている。このように第二清掃部材２３と手首または第一清掃部材２２とを落下防止コード６で接続することによって、網戸清掃装置１ｃを高所で使用しているときに万が一、第一清掃部材２２と第二清掃部材２３との磁着が解除されても、第二清掃部材２３側が脱落するようなことはなく、安全性を確保できると共に第二清掃部材２３を拾いに行く手間が省ける。
【００１４】
【発明の効果】
本発明は、叙述の如く器体の略重心を通る線上の位置に連結穴を設け、この連結穴に連結穴の軸線を回転軸として回転する連結部材を回転自在に挿通し、連結部材の一端に一体に設けた係止フックを連結穴の段部に係脱自在に係止すると共に連結部材の他端に一体に設けたコード結合部に落下防止コードの端部を結合しているものであって、連結穴の軸線を回転軸として連結部材が回転するために、落下防止コードがスパイラル状の場合、器体が落下してスパイラル状の落下防止コードが伸縮したときにでも落下防止コードが絡まるのを防止できるものであり、また連結部材のコード結合部に落下防止コードを結合した状態で、連結部材を器体の連結穴に挿通して係止フックを段部に係止して連結できて落下防止コードの取り付けや取り外しが容易にできるものであり、また１部品の連結部材で回転自在に連結でき、従来に比べて部品点数を少なくできてコストダウンにつながるものである。
【図面の簡単な説明】
【図１】本発明の実施の形態の一例の断面図である。
【図２】同上の落下防止コードの支持を説明する斜視図である。
【図３】同上の落下防止コードの他の支持を説明する斜視図である。
【図４】同上の落下防止コードの他の支持を説明する斜視図である。
【図５】同上の他例を示す断面図である。
【図６】同上の他例を示す断面図である。
【図７】同上の第二清掃部材の背面図である。
【符号の説明】
１  器体
２  連結穴
２ａ  段部
３  連結部材
４  係止フック
５  コード結合部
６  落下防止コード
【図１】
0003684761.tif 000002
【図２】
0003684761.tif 000003
【図３】
0003684761.tif 000004
【図４】
0003684761.tif 000005
【図５】
0003684761.tif 000006
【図６】
0003684761.tif 000007
【図７】
0003684761.tif 000008